(57)【要約】【課題】電気ポット等の器体胴部に設けられた水位表示部のパネルの両側縁に内向きの外力が加えられても容易に外れないようにすることである。【解決手段】パネル１１の裏面に設けた係止爪１５の先端部１７をパネル１１の内側を向けて形成し、その係止爪１５に対応した器体胴部１側の係止部２６を窓穴１９裏面の側縁に設け、パネル１１の側縁部に内向きの外力が加わった場合に、両者の係合が一層深くなるようにした。【選択図】　図３
2004024422.tif 000002
【特許請求の範囲】
【請求項１】
器体胴部に設けた窓穴の内部に水位管等の表示具を設け、上記表示具の透視窓を設けたパネルを上記窓穴の前面に嵌合し、該パネル裏面に設けた係止爪を器体胴部の係止部に係り止めして該パネルを窓穴前面に取付けるようにした液体容器のパネル取付け構造において、上記係止爪の先端部を上記パネルの内側を向けて形成し、その係止爪に対応した上記係止部を上記窓穴裏面の側縁に設けたことを特徴とする液体容器のパネル取付け構造。
【請求項２】
上記窓穴裏面の側縁に上記表示具の左右両側面をカバーする目隠し部を設け、その目隠し部の外面に上記の係止部を設けるとともに、各係止部に対応して前記係止爪の挿入穴を上記目隠し部より外側の器体胴部に設けたことを特徴とする請求項１に記載の液体容器のパネル取付け構造。
【請求項３】
上記両側の目隠し部の先端をそれぞれ内側に屈曲し、各屈曲部の内面相互間に目隠しシートを装着したことを特徴とする請求項２に記載の液体容器のパネル取付け構造。
【請求項４】
上記両側の目隠し部の先端をそれぞれ内側に屈曲し、各屈曲部の相互間に目隠し部材の両側部を嵌合したことを特徴とする請求項２に記載の液体容器のパネル取付け構造。
【請求項５】
上記側縁が、上記窓穴の左右両側縁と、上下両側縁を含むことを特徴とする請求項１に記載の液体容器のパネル取付け構造。
【請求項６】
上記窓穴が、器体胴部の前方への膨出頂部に設けられたことを特徴とする請求項１から４のいずれかに記載の液体容器のパネル取付け構造。
【発明の詳細な説明】
【０００１】
【発明の属する技術分野】
この発明は、電気湯沸し器等の液体容器のパネル取付け構造に関し、特にパネルの外れ難い取付け構造に関するものである。
【０００２】
【従来の技術】
電気湯沸し器や加湿器等の液体容器におけるパネル取付け構造の一例を図５（ａ）（ｂ）に示す。パネルが取付けられる器体胴部４１の断面構造は種々あるが、図５（ａ）は、電気湯沸かし器において、カップ４２等を受け入れ易くするために、器体胴部４１の前面中央部に内方へ凹入した凹部４３を設けたものを示す。この場合、水位管４４とその前面のパネル４５は、前面からの見易さを考慮して、凹部４３の両側の膨出部４６、４６のうち一方の膨出部４６の頂部に設けられる。パネル４５の取付け構造は、図５（ｂ）に示すように、膨出部４６の頂部に上下方向に長い窓穴４７を設け、その内側に前記の水位管４４を配置している。上記のパネル４５には、その四辺に沿って不透明層５５が設けられ、不透明層５５に囲まれた透明部分が透視窓４８となっている。
【０００３】
パネル４５裏面の両側縁に沿って所要数の係止爪４９、４９が設けられ、各係止爪４９の先端部５０はそれぞれ外向きに屈曲している。また、器体胴部４１の内面には、窓穴４７の側縁に沿ってリブ５２、５２が設けられ、各リブ５２に内向きの係止部５３が設けられる。上記の窓穴４７にその前面から嵌合されたパネル４５の係止爪４９が係止部５３に対しその内側から係り止めされる。
【０００４】
上記の係止爪４９、４９の内側面相互間に、水位管４４を囲む断面コの字形に屈曲された目隠しシート５６が介在される。
【０００５】
【発明が解決しようとする課題】
上記のパネル取付け構造は、通常の使用においては何ら問題とならない。しかし、図５（ｂ）において白抜き矢印で示すように、パネル４５の側縁に内向きの外力が加わって、パネル４５が内向きに弾性変形すると、その変形方向は係止爪４９の端部５０が内方へ移動する方向であるので、係止爪４９の係止部５３に対する係り止めが外れるおそれがある。特に、パネル４５が膨出部４６に設けられ、そのパネル４５自体も膨出部４６の形状に従って湾曲している場合は、使用者が２本の指先で、パネル４５の左右両側縁を強くつまんだ際に、上記のおそれが一層強くなる。
【０００６】
また、上記の取付け構造によると、係止部５３を設けたリブ５２がパネル４５の嵌合部より外側に設けられるので、その立上がり部分の反対面（即ち、器体胴部４１の表面）に樹脂成形に伴うヒケ部５４が露出し、製品の外観不良の原因となる問題もある。
【０００７】
なお、前記の目隠しシート５６は、コの字形に屈曲されたものであるので、組立時に、平板のシートをこのように屈曲して組付ける手間がかかる不便がある。
【０００８】
そこで、この発明は、パネルの取付け構造に改良を加え、パネルの両側縁に内向きの外力を加えたとしても当該パネルが外れるおそれがなく、また、ヒケ部による外観不良も来たすことのないようにすることを課題とする。さらに、目隠しシートを屈曲する手間が省けるようにすることをその他の課題とする。
【０００９】
【課題を解決するための手段】
上記の課題を解決するために、この発明は、器体胴部に設けた窓穴の内部に水位管等の表示具を設け、上記表示具の透視窓を設けたパネルを上記窓穴の前面に嵌合し、該パネル裏面に設けた係止爪を器体胴部の係止部に係り止めして該パネルを窓穴前面に取付けるようにした液体容器のパネル取付け構造において、上記係止爪の先端部を上記パネルの内側を向けて形成し、その係止爪に対応した上記係止部を上記窓穴裏面の側縁に設けた構成を採用した。
【００１０】
上記の構成によると、パネルの両側縁に内向きの外力が加わってパネルが内側に弾性変形したとしても、その変形は係止爪が係合部に対し一層深く係合する方向であるから、パネルが外れるおそれは無い。また、その係合部はパネル嵌合部の内側に設けられるので、樹脂成形に伴うヒケ部があったとしても、パネルによってカバーされ、製品の外観に現れることは無い。
【００１１】
また、上記窓穴裏面の側縁に上記表示具の左右両側面をカバーする目隠し部を設け、その目隠し部の外面に上記の係止部を設けるとともに、各係止部に対応して前記係止爪の挿入穴を上記目隠し部より外側の器体胴部に設けた構成を採用すると、係止部をこれらの目隠し部を利用して設けることができる便利さがある。
【００１２】
また、上記両側の目隠し部の先端をそれぞれ内側に屈曲し、各屈曲部の内面相互間に目隠しシートを装着した構成や、その屈曲部の相互間に目隠し部材の両側部を嵌合した構成を採用すると、目隠しシートを屈曲する手間が省ける。
【００１３】
また、前記の側縁が、上記窓穴の左右両側縁と、上下両側縁を含む構成を採用すると、パネルがその左右両側縁のみならず、上下端縁においても器体胴部に係り止めされ、一層外れ難くなる。
【００１４】
さらに、上記窓穴が、器体胴部の前方への膨出頂部に設けられた構成を採用すると、パネルは膨出部の形状に従って湾曲した形状になり、使用者がその左右両側縁に指を掛けて内向きの力を加えることが起こり易いが、その場合でも、パネルの係り止めが外れるおそれが無い。
【００１５】
【発明の実施の形態】
以下、この発明の実施形態を添付図面に基づいて説明する。図１は、液体容器の例として電気湯沸かし器を示している。この電気湯沸かし器は、合成樹脂製の器体胴部１の上部に設けた肩部材２に蓋３を開閉自在に取付け、肩部材２のくちばし部４の前部上面に操作パネル５を設け、また、くちばし部４の下方に湯の吐出口６を設けている。また、蓋３にはつまみ７が設けられる。
【００１６】
上記の器体胴部１の前面中央は、前述の従来例と同様に凹部８が設けられ、その凹部８の両側が膨出部９、９となっている。その右側の膨出部９に、水位表示のための合成樹脂製のパネル１１が取付けられる。このパネル１１の内側に水位管１２が配置され（図３（ｂ）参照）、外部からパネル１１に設けた透視窓１３を通して水位管１２を見通せるようになっている。
【００１７】
上記のパネル１１の取付け構造は、以下のようなものである。即ち、パネル１１は、全体として上下方向に長い長方形をなし、幅方向には膨出部９の形状に沿ってわん曲している。また、そのパネル１１は透明体であり、その四側縁に沿って一定幅の不透明層１４を設けることにより、その内側に前記の透視窓１３が形成される。また、その不透明層１４の裏面において、左右の両側縁において上下３個所の係止爪１５が設けられ、上下の側縁において各１個所に係止爪１６が設けられる。これらの各係止爪１５、１６は、いずれも内向きに屈曲した先端部１７、１８が設けられる。
【００１８】
上記のパネル１１に対向した器体胴部１の膨出部９において、上下方向に長い窓穴１９が設けられる。窓穴１９前面の左右上下の四側縁２１（図３（ａ）においてその幅を両端矢印の範囲で示す）は、器体胴部１の表面から段差部２２で凹入している。
【００１９】
上記窓穴１９の裏面において、前記の左右両側縁２１に相当する部分に目隠し部２３，２３が設けられる。両側の目隠し部２３、２３は、互いに向き合うように、その先端部に内向きの屈曲部２３’、２３’が設けられ（図３（ａ）参照）、平面視でＬ字形をなす。このような屈曲部２３’、２３’を有する目隠し部２３、２３により、水位管１２の左右両側方から斜め後方の範囲をカバーする。さらに、
両方の屈曲部２３’、２３’の内面間に目隠しシート２４が装着される（同図（ｂ）参照）。これらの目隠し部２３，２３と目隠しシート２４の遮蔽作用により、外部から水位管１２の回りを通じて器体胴部１の内部を見通すことはできない。
【００２０】
また、上記の左右の目隠し部２３、２３の外側に接し、前記の側縁２１の幅の範囲内に挿入穴２５が上下３箇所に設けられる。また、その目隠し部２３、２３の立上り部外面において、上記挿入穴２５に対応した位置に上下方向の突条でなる係止部２６、２６が設けられる。窓穴１９の上下両側縁２１においても、その幅内に前記の係合爪１６に対応した係合穴２７、２７が設けられる。
【００２１】
なお、水位管１２の両側方及び後方の遮蔽構造としては、図４に示すように、目隠し部２３、２３の屈曲部２３’、２３’間に、板状又はシート状の目隠し部材２９の嵌合溝２８を挿入する構造をとる場合もある。この場合も、前記の係止部２６は、各目隠し部２３の外面に設けられる。
【００２２】
前記のパネル１１を窓穴１９の前面から四側縁２１の段差部２２に嵌合させるとともに、挿入穴２５に挿入した係止爪１５の先端部１７を、相手方の係止部２６に押し当て、さらに目隠し部２３を部分的に弾性変形させつつ係り止めさせる。また、パネル１１の上下側縁においても、係止爪１６、１６の各先端部１８が係合穴２７に係り止めされる。これにより、パネル１１が窓穴１９の前面に嵌合保持される。また、パネル１１の四側縁２１により、挿入穴２５及び係合穴２７がカバーされる。さらに、目隠し部２３の立上り部の反対面、即ち、器体胴部１の表面側においては、樹脂成形の場合にヒケ部３０（図３（ａ）参照）が生じ易い部分であるが、この部分はパネル１１の側縁部でカバーされ、外部に露出することがない。
【００２３】
パネル１１を上記のようにして窓穴１９に取付けた状態で、パネル１１の両側面に内向きの外力（図３（ｂ）の白抜き矢印参照）が作用した場合、係止爪１５の先端部１７は相手の係合部２６に対して一層係合が深くなる方向に変形するので、パネル１１が簡単に外れることがない。上下方向から外力が作用した場合でも同じである。
【００２４】
なお、以上の実施形態は、電気ポットについて述べたが、この発明のパネル１１の取付け構造は、加湿器その他の液体容器に適用することができる
【００２５】
【発明の効果】
以上のように、この発明は、パネルに外力、特に内向きの外力が作用した場合でも、該パネルが容易には外れることがない。また、パネルを器体胴部に係り止めする係止爪の挿入穴等、器体胴部の窓穴側縁に沿って設けられた穴や、樹脂成形時のヒケ部は、パネルの内側に隠れるので外観も良好である。
【図面の簡単な説明】
【図１】実施形態の電気湯沸かし器の斜視図
【図２】同上のパネル部分の分解斜視図
【図３】（ａ）同上の窓穴部分の断面図
（ｂ）同上の水位管部分の断面図
【図４】他の実施形態における水位管部分の断面図
【図５】（ａ）従来例の器体胴部の一部断面図
（ｂ）（ａ）図の水位管部分の拡大断面図
【符号の説明】
１　器体胴部
２　肩部材
３　蓋
４　くちばし部
５　操作パネル
６　吐出口
７　つまみ
８　凹部
９　膨出部
１１　パネル
１２　水位管
１３　透視窓
１４　不透明層
１５　係止爪
１６　係止爪
１７　先端部
１８　先端部
１９　窓穴
２１　側縁
２２　段差部
２３　目隠し部
２３’　屈曲部
２４　目隠しシート
２５　挿入穴
２６　係止部
２７　係合穴
２８　嵌合溝
２９　目隠し部材
３０　ヒケ部
【図１】
2004024422.tif 000003
【図２】
2004024422.tif 000004
【図３】
2004024422.tif 000005
【図４】
2004024422.tif 000006
【図５】
2004024422.tif 000007